(57)【要約】      （修正有）【課題】マニュアルフォーカス時の利便性および操作性が高い立体画像撮像装置を提供する。【解決手段】第１の撮像部と第２の撮像部と立体画像用信号処理部と、３次元表示と２次元表示を切替えて表示することが可能な表示部と、前記第１及び第２の撮像部からの画像でフォーカス位置に相当する部分を拡大して前記第１の撮像部からの全体画像に重なるように２次元表示する手段を備え、前記第１及び第２の撮像部からのフォーカス位置に相当する拡大画像が重ならないように同時に２次元表示する立体画像撮像装置。【選択図】図３
2013162429.tif 000002
【特許請求の範囲】
【請求項１】
第１の撮像部と第２の撮像部と、立体画像用信号処理部と、３次元表示と２次元表示を切替えて表示することが可能な表示部と、前記第１および第２の撮像部からの画像でフォーカス位置に相当する部分を拡大して前記第１の撮像部からの全体画像に重なるように２次元表示する手段を備え、前記第１および第２の撮像部からのフォーカス位置に相当する拡大画像が重ならないように同時に２次元表示することを特徴とする立体画像撮像装置。
【請求項２】
請求項１に記載の立体画像撮像装置において、さらに操作部を備え、前記第１および第２の撮像部からのフォーカス位置に相当する拡大画像が重ならないように同時に２次元表示する第１の表示モードと、前記第１の撮像部からのフォーカス位置に相当する拡大画像のみを２次元表示する第２の表示モードと、前記第２の撮像部からのフォーカス位置に相当する拡大画像のみを２次元表示する第３の表示モードを備え、前記操作部からの指示により前記第１ないし第３の表示モードを切替えることを特徴とする立体画像撮像装置。
【請求項３】
第１の撮像部と第２の撮像部と、立体画像用信号処理部と、３次元表示と２次元表示を切替えて表示することが可能な表示部と、前記第１および第２の撮像部からの画像でフォーカス位置に相当する部分を拡大して前記第１および第２の撮像部からの全体画像に重なるように３次元表示する手段を備え、前記第１および第２の撮像部からのフォーカス位置に相当する拡大画像の視差と前記第１および第２の撮像部からの全体画像の視差が異なることを特徴とする立体撮像装置。
【請求項４】
請求項３に記載の立体画像撮像装置において、前記第１の撮像部からのフォーカス位置に相当する拡大画像の切り出し領域と前記第２の撮像部からのフォーカス位置に相当する拡大画像の切り出し領域が異なることを特徴とする立体撮像装置。
【発明の詳細な説明】
【技術分野】
【０００１】
本発明は、立体視用静止画の撮像装置に関し、例えばデジタルカメラに適用することができる。
【背景技術】
【０００２】
撮像装置のフォーカス機能には、オートフォーカスとマニュアルフォーカスがあり、撮影者は使用するフォーカス機能を選択することができる。
【０００３】
マニュアルフォーカスでは、撮影者自身が目視で焦点調節を行うものであるが、目視だけでは正確な焦点調節を行うことが困難な場合がある。焦点調節を補助するために、撮影画面の一部を拡大して液晶ディスプレイなどの表示装置に表示する撮像装置が特許文献１および２に開示されている。
【０００４】
特許文献２では、フォーカス位置の拡大画像を全体画像（スルー画像）に重ねて表示するものが開示されている。
【０００５】
また近年、１台の撮像装置に複数の光学系を設けて立体視用画像を撮影することができる撮像装置が開発されている。このような撮像装置では撮影した３次元画像を液晶ディスプレイなどの表示装置で３次元表示することが可能になっている。
【先行技術文献】
【特許文献】
【０００６】
【特許文献１】特開平４−３５４２７４号公報
【特許文献２】特開平１１−５５５６０号公報
【発明の概要】
【発明が解決しようとする課題】
【０００７】
しかしながら、このような立体視用撮像装置においてマニュアルフォーカスで撮影する場合、液晶ディスプレイなどの表示装置を２次元表示にすると複数の光学系から得られた画像の内、一方の画像しか表示されないことになり、表示されていない画像に焦点が合っていない可能性がある。
【０００８】
また、マクロ撮影など被写界深度が浅い画像をマニュアルフォーカスで撮影する場合、複数の光学系から得られたそれぞれの画像に対して撮影者が合焦確認を行いたいという要望がある。
【０００９】
さらに、フォーカス位置の拡大画像と全体画像をともに表示装置に３次元表示する場合、拡大画像と全体画像で視差を同じにすると違和感があるという問題がある。
【課題を解決するための手段】
【００１０】
本発明に係る立体画像撮像装置は、第１の撮像部と第２の撮像部と、立体画像用信号処理部と、３次元表示と２次元表示を切替えて表示することが可能な表示部と、前記第１および第２の撮像部からの画像でフォーカス位置に相当する部分を拡大して前記第１の撮像部からの全体画像に重なるように２次元表示する手段を備え、前記第１および第２の撮像部からのフォーカス位置に相当する拡大画像が重ならないように同時に２次元表示することを特徴とする。
【００１１】
また、本発明に係る立体画像撮像装置は、さらに操作部を備え、前記第１および第２の撮像部からのフォーカス位置に相当する拡大画像が重ならないように同時に２次元表示する第１の表示モードと、前記第１の撮像部からのフォーカス位置に相当する拡大画像のみを２次元表示する第２の表示モードと、前記第２の撮像部からのフォーカス位置に相当する拡大画像のみを２次元表示する第３の表示モードを備え、前記操作部からの指示により前記第１ないし第３の表示モードを切替えることを特徴とする。
【００１２】
また、本発明に係る立体画像撮像装置は、第１の撮像部と第２の撮像部と、立体画像用信号処理部と、３次元表示と２次元表示を切替えて表示することが可能な表示部と、前記第１および第２の撮像部からの画像でフォーカス位置に相当する部分を拡大して前記第１および第２の撮像部からの全体画像に重なるように３次元表示する手段を備え、前記第１および第２の撮像部からのフォーカス位置に相当する拡大画像の視差と前記第１および第２の撮像部からの全体画像の視差が異なることを特徴とする。
【発明の効果】
【００１３】
立体視用撮像装置においてマニュアルフォーカスで撮影する場合、撮影者が合焦しているかどうかの判断が容易になり、表示部を見ながら焦点調節を容易に行うことができる。
【図面の簡単な説明】
【００１４】
【図１】本発明の第１から第３の実施形態の機能ブロック図
【図２】本発明の第１から第３の実施形態のフローチャート
【図３】本発明の第１の実施形態の表示画面
【図４】本発明の第２の実施形態の表示画面
【図５】本発明の第３の実施形態の表示画面
【発明を実施するための形態】
【００１５】
【実施例１】
【００１６】
図１は、本発明の撮像装置の第１の実施形態の機能ブロック図である。本実施例では、レンズや撮像素子からなる撮像部を２つ有している。
【００１７】
図１において、１００は第１撮像部、２００は第２撮像部である。
【００１８】
１０および２１０はレンズや絞り等からなる結像光学部であり、フォーカス調節や露出調節を行う。
【００１９】
１１および２１１は光学像を電気信号に変換するＣＣＤ等の撮像素子、１２および２１２は撮像素子からのアナログ画像信号をデジタル画像データに変換するＡ／Ｄ変換回路である。
【００２０】
１３はＡ／Ｄ変換回路１２および２１２から出力された画像データに、ガンマ処理、補間処理、マトリクス変換、拡大縮小等を施して映像データを作成する信号処理部、１４はメモリ（ＤＲＡＭ）１５との間で映像データや各種制御データの書き込み／読み出しを行うシステムバス、１６は各種制御を司るＣＰＵ、１７はシャッターボタンや各種機能ボタンなどの操作部、１８は撮影画像をＳＤカードなどの記録媒体に記録する記録部、１９は画像データをＬＣＤモニターなどに表示する表示部である。
【００２１】
操作部１７にはオートフォーカスとマニュアルフォーカスとを切替えるフォーカス切替ボタンや表示部１９を２次元表示と３次元表示に切替える表示切替ボタンなどを含む。
【００２２】
表示部１９は、立体視用画像については、撮影時には第１撮像部１００および第２撮像部２００からの画像を３次元表示するとともに、再生時には記録した画像を３次元表示するものである。なお、２次元画像を撮影する場合には、第１撮像部１００または第２撮像部２００のいずれか一方の画像を記録すればよく、表示部１９はこれを２次元表示する。
【００２３】
本実施例では、第１撮像部１００を右目用、第２撮像部２００を左目用として説明する。
【００２４】
第１撮像部１００において、結像光学部１０に入射した光は撮像素子１１の受光面に結像され、撮像素子１１からアナログ画像信号として出力される。アナログ画像信号はＡ／Ｄ変換回路１２でデジタル画像データに変換され、信号処理部１３に右目用デジタル画像データとして入力される。
【００２５】
第２撮像部２００においても同様に、結像光学部２１０に入射した光は撮像素子２１１の受光面に結像され、撮像素子２１１からアナログ画像信号として出力される。アナログ画像信号はＡ／Ｄ変換回路２１２でデジタル画像データに変換され、信号処理部１３に左目用デジタル画像データとして入力される。
【００２６】
信号処理部１３に入力された左右のデジタル画像データは、ガンマ処理、補間処理、マトリクス変換、拡大縮小等が施され、映像データとしてシステムバス１４を介してメモリ１５に記憶される。
【００２７】
表示部１９は、メモリ１５に記憶された映像データを読み出してＬＣＤモニターなどに表示する。
【００２８】
まず、オートフォーカスの場合の処理について図２（ａ）のフローチャートを用いて説明する。
【００２９】
Ｓ１０１において、信号処理部１３に入力された右目用デジタル画像データは、ガンマ処理、補間処理、マトリクス変換等が施され、右目用映像データが生成される。
【００３０】
一般に、撮像素子１１の画素数と表示部１９の画素数は異なるので、Ｓ１０２において、Ｓ１０１で生成された右目用映像データに対して第１の拡大縮小処理が行なわれ、右目用全体画像はシステムバス１４を介してメモリ１５に記憶される。
【００３１】
Ｓ１０３において、Ｓ１０１と同様に、信号処理部１３に入力された左目用デジタル画像データは、ガンマ処理、補間処理、マトリクス変換等が施され、左目用映像データが生成される。
【００３２】
Ｓ１０４において、Ｓ１０３で生成された左目用映像データに対して第１の拡大縮小処理が行なわれ、左目用全体画像はシステムバス１４を介してメモリ１５に記憶される。
【００３３】
表示部１９は、Ｓ１０５において、メモリ１５に記憶された右目用と左目用の全体画像をそれぞれ読みだして、３次元表示する。
【００３４】
図３の（ａ）は、オートフォーカスの場合の表示部１９の画面を示しており、記録しようとする全体画像が３次元表示されている。
【００３５】
次に、マニュアルフォーカスの場合の処理について図２の（ｂ）のフローチャートを用いて説明する。
【００３６】
Ｓ２０１において、信号処理部１３に入力された右目用デジタル画像データは、ガンマ処理、補間処理、マトリクス変換等が施され、右目用映像データが生成される。
【００３７】
一般に、撮像素子１１の画素数と表示部１９の画素数は異なるので、Ｓ２０２において、Ｓ２０１で生成された右目用映像データに対して第１の拡大縮小処理が行なわれ、右目用全体画像はシステムバス１４を介してメモリ１５に記憶される。
【００３８】
Ｓ２０３において、Ｓ２０１で生成された右目用映像データの内、フォーカス位置に相当する領域を切り出して第２の拡大縮小処理が行なわれ、右目用拡大画像はシステムバス１４を介してメモリ１５に記憶される。
【００３９】
右目用拡大画像の「拡大」は、表示画面上のサイズで見て大きくなっていることを意味し、第２の拡大縮小処理の拡大率が第１の拡大縮小処理の拡大率よりも大きくなっている。
【００４０】
Ｓ２０４において、Ｓ２０１と同様に、信号処理部１３に入力された左目用デジタル画像データは、ガンマ処理、補間処理、マトリクス変換等が施され、左目用映像データが生成される。
【００４１】
Ｓ２０５において、Ｓ２０４で生成された左目用映像データに対して第１の拡大縮小処理が行なわれ、左目用全体画像はシステムバス１４を介してメモリ１５に記憶される。
【００４２】
Ｓ２０６において、Ｓ２０４で生成された左目用映像データの内、フォーカス位置に相当する領域を切り出して第２の拡大縮小処理が行なわれ、左目用拡大画像はシステムバス１４を介してメモリ１５に記憶される。
【００４３】
表示部１９は、Ｓ２０７において、メモリ１５に記憶された右目用の全体画像および右目用と左目用の拡大画像をそれぞれ読みだして、２次元表示する。
【００４４】
図３の（ｂ）は、マニュアルフォーカスの場合の表示部１９の画面を示しており、右目用の全体画像に重ねて右目用と左目用の拡大画像が２次元表示されている。本実施例では、右目用と左目用の拡大画像が重ならないように配置して２次元表示することを特徴とする。
【００４５】
なお、本実施例では、全体画像として右目用を表示しているが、左目用の全体画像を表示してもよい。また、Ｓ２０５において、左目用全体画像をメモリに記憶しているが、Ｓ２０７での表示に用いていないので省略しても構わない。
【実施例２】
【００４６】
本発明の撮像装置の第２の実施形態の機能ブロック図は、第１の実施形態と同じである。
【００４７】
図４は、第２の実施形態におけるマニュアルフォーカスの場合の表示部１９の画面を示している。
【００４８】
図４の（ａ）は、第１の実施形態と同様に、右目用の全体画像に重ねて右目用と左目用の拡大画像が２次元表示されている。
【００４９】
図４の（ｂ）は、右目用の全体画像に重ねて右目用の拡大画像のみが２次元表示されている。
【００５０】
図４の（ｃ）は、右目用の全体画像に重ねて左目用の拡大画像のみが２次元表示されている。
【００５１】
撮影者は操作部１７に含まれる表示切替ボタンの操作によって、表示画面を図４の（ａ）（ｂ）（ｃ）から切替えて表示することが可能である。
【実施例３】
【００５２】
本発明の撮像装置の第３の実施形態の機能ブロック図は、第１の実施形態と同じである。
【００５３】
図２の（ｃ）は、第３の実施形態におけるマニュアルフォーカスの場合の処理を示したフローチャートである。
【００５４】
第３の実施形態のフローチャートは、Ｓ３０７において、メモリ１５に記憶された右目用と左目用の全体画像および右目用と左目用の拡大画像をそれぞれ読みだして、３次元表示することが、第１の実施形態と異なっている。
【００５５】
図５の（ａ）は、第３の実施形態におけるマニュアルフォーカスの場合の表示部１９の画面を示しており、全体画像に重ねて拡大画像が３次元表示されている。
【００５６】
ここで、Ｓ２０３およびＳ２０６における拡大画像の切り出し領域について、図５の（ｂ）および図５の（ｃ）を用いて説明する。
【００５７】
図５の（ｂ）はＳ２０１において生成された右目用映像データ、図５の（ｃ）はＳ２０４において生成された左目用映像データであり、点線領域はフォーカス位置を示している。
【００５８】
第３の実施形態では、拡大画像の左右の視差を全体画像よりも大きくすることが特徴であり、Ｓ２０３における右目用拡大画像の切り出し領域は図５の（ｂ）のグレーで示したように、フォーカス位置よりも外側、すなわち右側にずらして設定される。
同様に、Ｓ２０６における左目用拡大画像の切り出し領域は図５の（ｃ）のグレーで示したように、フォーカス位置よりも外側、すなわち左側にずらして設定される。
【符号の説明】
【００５９】
１００  第１撮像部
２００  第２撮像部
１０、２１０  結像光学部
１１、２１１  撮像素子
１２、２１２  Ａ／Ｄ変換回路
１３  信号処理部
１４  システムバス
１５  メモリ
１６  ＣＰＵ
１７  操作部
１８  記録部
１９  表示部
【図１】
2013162429.tif 000003
【図２】
2013162429.tif 000004
【図３】
2013162429.tif 000005
【図４】
2013162429.tif 000006
【図５】
2013162429.tif 000007